(57)【特許請求の範囲】
【請求項１】
ボール紙等の厚紙類で構成され、複数のパーツに分離されているブランク板と、
前記複数のパーツに分離されたブランク板を接合するように、前記ブランク板の外表面に剥離可能に貼着されるフィルムと、からなり、
前記フィルムに、葉書、保証書、簡易マニュアル等の各種印刷を施すとともに、前記フィルム及びブランク板に、各種印刷を施した部分を切り離し可能な切離手段を設けたことを特徴とする包装箱。
【請求項２】
前記フィルムは、ブランク板の外表面全体に貼着されていることを特徴とする請求項１に記載の包装箱。
【請求項３】
前記フィルムに、ブランク板からの剥離を容易にする易剥離手段を設けたことを特徴とする請求項１又は請求項２に記載の包装箱。
【発明の詳細な説明】
【０００１】
【発明の属する技術分野】
本発明は、段ボールやボール紙等の厚紙類で構成された包装箱に関し、更に詳しくは、廃棄する際に、容易に分別・解体できて、コンパクトに処分できる包装箱に関する。
【０００２】
【従来の技術】
従来、例えば精密機器等の包装材として用いられる紙製の包装箱は、保管中、輸送中等において、内部に収容されている精密機器等が破損しないように、比較的強度の高い段ボール等の厚紙類で成形されることが多い。特に段ボールは、丈夫で耐久性に優れているため、精密機器等の重量物品の保管・輸送等に適しており、包装材にかかるコストの低減が図れる点においても有効となっている。
【０００３】
【発明が解決しようとする課題】
しかしながら、このような段ボールは強度が高い分、人手で解体するのが容易ではなく、完全に解体できないため、廃棄時において嵩張ることが多かった。特に大きさの大きい段ボールの場合、解体する時間と手間がかかるため、廃棄するだけでも煩瑣な作業になっていた。
【０００４】
そこで、本発明は、容易に解体することができて、廃棄する際の労力を軽減することができ、分別も容易にできる、段ボールやボール紙等の厚紙類で構成された包装箱を得ることを目的とするものである。
【０００５】
【課題を解決するための手段】
上記の目的を達成するために、本発明に係る請求項１に記載の包装箱は、ボール紙等の厚紙類で構成され、複数のパーツに分離されているブランク板と、前記複数のパーツに分離されたブランク板を接合するように、前記ブランク板の外表面に剥離可能に貼着されるフィルムと、からなり、前記フィルムに、葉書、保証書、簡易マニュアル等の各種印刷を施すとともに、前記フィルム及びブランク板に、各種印刷を施した部分を切り離し可能な切離手段を設けたことを特徴としている。
【０００６】
これによれば、ブランク板からフィルムを剥離するだけで、そのブランク板を複数のパーツに簡単に分離することができる。つまり、ブランク板は、予め複数のパーツに分離され、フィルムによって１枚のブランク板に接合されているだけなので、ブランク板からフィルムを剥離することにより、簡単に元の複数のパーツに分離される。したがって、廃棄時における解体作業（労力）の軽減化が図れる。
【０００７】
また、前記フィルムに、葉書、保証書、簡易マニュアル等の各種印刷を施したので、ブランク板に印刷を施す必要がなくなる。よって、低コスト化が図れる。
【０００８】
更に、前記フィルム及びブランク板に、各種印刷を施した部分を切り離し可能な切離手段を設けたので、ブランク板の有効利用が図れる。よって、ゴミの減量化になる。
【０００９】
また、請求項２に記載の包装箱は、請求項１に記載の包装箱において、前記フィルムが、前記ブランク板の外表面全体に貼着されていることを特徴としている。これによれば、包装箱の湿度等水分に対する耐久性を向上させることができる。
【００１０】
また、請求項３に記載の包装箱は、請求項１又は請求項２に記載の包装箱において、前記フィルムに、ブランク板からの剥離を容易にする易剥離手段を設けたことを特徴としている。これによれば、ブランク板（箱体）からフィルムを剥離する作業が至便にできる。
【００１１】
【発明の実施の形態】
以下、本発明の実施の形態を図面に示す実施例を基に詳細に説明する。図１は本発明に係る包装箱１０のブランク板を示す展開図であり、まず、このブランク板について説明する。ブランク板は、例えば段ボール板で構成され、後述するように、各面板が複数の折罫によって区切られている。そして、複数のパーツに予め分離された状態に形成されている。なお、図１では２つのパーツに分離されている例が示されているが、ブランク板の分断数や分断位置等は、当然ながら、これに限定されるものではない。
【００１２】
図１において、右側のパーツにある正面板１２の一方の側縁には折罫４０を介して側面板１４が連設され、下縁には折罫４２を介して内底面板１６が連設されている。そして、上縁には折罫４４を介して内天面板１８が連設されている。この内天面板１８は、包装箱１０を組み立てたとき、箱内を上下に２分割する仕切板になっており、折罫４４と平行な折罫４６が２本、所定間隔を隔てて設けられている。
【００１３】
また、左側のパーツにある背面板２０の一方の側縁には折罫４８を介して側面板２２が連設され、下縁には折罫５０を介して外底面板２４が連設されている。そして、上縁には折罫５２を介して外天面板２６が連設されている。また、各側面板１４、２２の下縁にはそれぞれ折罫５４を介して底部サイドフラップ２８が連設され、上縁にはそれぞれ折罫５６を介して天部サイドフラップ３０が連設されている。
【００１４】
また、内天面板１８の折罫４４側中央には正面視略コ字状の切り込み３８が設けられており、その先端が所定長さ正面板１２に至っている。そして、内底面板１６の折罫４２側中央にも正面視略コ字状の切り込み３８が設けられており、その先端が所定長さ正面板１２に至っている。しかして、それぞれの切り込み３８の終端部同士を結ぶ仮想直線をヒンジ部Ｈとすることにより、係止フラップ３４が形成されるようになっている。
【００１５】
また、外底面板２４の下縁と外天面板２６の上縁には、差込フラップ３２が折罫５８、６０をそれぞれ介して連設されており、その折罫５８、６０の中央部には、包装箱１０を組み立てるときに、係止フラップ３４が挿入可能な幅の切り込み５８Ａ、６０Ａが設けられている。そして更に、略コ字状の切り込み３８の両側で、かつ、折罫４２、４４上には、その切り込み３８と連続した切り込み４２Ａ、４４Ａが所定長さ設けられており、ヒンジ部Ｈを中心に係止フラップ３４を折り曲げて待避させることにより、差込フラップ３２がその切り込み４２Ａ、４４Ａ内に挿入可能になっている。
【００１６】
以上のような構成のブランク板の外表面には、図２で示すように、フィルム７０が剥離可能に貼着される。なお、図２では説明の便宜上、フィルム７０がブランク板と同形状の筒状に構成されているが、実際には、例えばフィルム７０は、２枚に分離されたブランク板の連設部、例えば背面板２０と側面板２２との連設部（折罫４８部分）が非連設とされ、ブランク板の非連設部、即ち正面板１２と側面板２２、及び背面板２０と側面板１４を接合するように貼着される。
【００１７】
つまり、少なくとも正面板１２と側面板２２の間にフィルム７０が架設され、背面板２０と側面板１４の間にフィルム７０が架設されるようになっており、２つに分離されているブランク板がフィルム７０によって互いに直接接着されることなく、１つのブランク板に形成されるようになっている。しかして、ブランク板に貼着されたフィルム７０により、正面板１２、側面板１４、背面板２０、側面板２２が四角筒状に連設されてなる胴部が形成される。
【００１８】
こうして、包装箱１０の胴部が形成されると、次にその底部が封緘される。つまり、底部サイドフラップ２８を折罫５４に沿って折り曲げ、内底面板１６を折罫４２に沿って折り曲げる。そして、外底面板２４を折罫５０に沿って折り曲げる。そして更に、差込フラップ３２を折罫５８に沿って折り曲げ、折罫４２上に設けられた切り込み４２Ａに挿入するが、このとき、略コ字状の切り込み３８によって形成された係止フラップ３４をヒンジ部Ｈによって外方側へ折り曲げて待避させてから挿入する。そして、その後、係止フラップ３４を折罫５８上に設けられた切り込み５８Ａに挿入する。これにより、包装箱１０の底部が封緘される。なお、図３には底部が封緘された状態の包装箱１０が示されている。
【００１９】
続いて、内天面板１８を折罫４４に沿って折り曲げるが、このとき、所定間隔を隔てて設けられた２本の折罫４６は、折罫４４と反対方向に折り曲げる。そして、正面板１２から遠い方の折罫４６より先端側が、背面板２０の裏面に当接された状態で、内天面板１８が、箱内における所定位置（折罫４４と折罫４６との間隔分上縁から下がった位置）にて支持されることにより、箱内を上下に２分割する仕切板とされる（図４参照）。このように、箱内の収納スペースを上下に２分割されると、例えば下方に精密機器等の商品を収納し、内天面板１８上にその商品の取り扱い説明書等を収納することが可能となる。
【００２０】
その後、天部サイドフラップ３０を折罫５６に沿って折り曲げ、外天面板２６を折罫５２に沿って折り曲げるとともに、差込フラップ３２を折罫６０に沿って折り曲げる。そして、上記と同様に、折罫４４上の切り込み４４Ａに、差込フラップ３２を挿入し、かつ、折罫６０上の切り込み６０Ａに係止フラップ３４を挿入する。これにより、包装箱１０の天部が封緘される。こうして、包装箱１０が組み立てられるが、この包装箱１０は、外表面全体にフィルム７０が貼着されているので、湿度等水分に対する耐久性が高い。
【００２１】
次に、この包装箱１０を廃棄するときの解体手段について説明をする。この包装箱１０を解体するときには、図４で示すように、フィルム７０を剥離する。すなわち、この包装箱１０は、予め複数のパーツに分離されているブランク板がフィルム７０によって接合されているだけなので、フィルム７０を剥がすことにより、ブランク板を元の状態に分離することができる。したがって、従来、廃棄するのに嵩張っていた段ボール製の箱体であっても、コンパクトに纏めることが可能となり、廃棄時の労力（時間や手間）を軽減することができる。しかも、フィルムと紙材とを分別して廃棄することができるので、環境的にも好ましい。
【００２２】
また、このとき、フィルム７０には、剥離のきっかけとなる易剥離手段としてのミシン目（図示省略）やタブ（図示省略）等を設けておくのが好ましい。このような易剥離手段を設けると、フィルム７０の剥離作業がより一層容易にでき、廃棄時の労力（時間や手間）を更に軽減することができる。なお、このミシン目等は、ブランク板同士の非連設部（この場合は、正面板１２と側面板２２との間、及び背面板２０と側面板１４との間）を除く、適当な部位に設けられるのが好ましい。
【００２３】
非連設部にミシン目等が設けられると、その箇所が脆弱になり、包装箱１０自体の強度が損なわれるおそれがある。しかして、易剥離手段は、例えば正面板１２と側面板１４が連設されている折罫４０の下端等に所定長さ設けられるのが好ましい。なお、フィルム７０の材質としては、比較的強度がある薄肉の樹脂フィルムであれば、どのようなものでもよく、ポリエチレン（ＰＥ）、ポリプロピレン（ＰＰ）、ポリスチレン（ＰＳ）、ポリエチレンテレフタレート（ＰＥＴ）、ポリエステル（ＵＰ）、エチレン酢酸ビニル共重合体（ＥＶＡ）等、特に限定されるものではない。
【００２４】
以上のような構成の包装箱１０において、次にその解体作業の一過程を簡単に説明する。包装箱１０は、廃棄する際には、図４で示すように、商品等の取り出しにより、天部がすでに開封された状態になっている。そこで、まず、包装箱１０の底部を開封する。このとき、係止フラップ３４を切り込み５８Ａから抜き取り、更に差込フラップ３２を切り込み４２Ａから抜き取るだけで簡単に開封することができる。
【００２５】
そして、図４で示したように、フィルム７０を箱体（ブランク板）から剥がしていく。このとき、例えば折罫４０の下端にミシン目等の易剥離手段が設けられてあると、そのミシン目等からフィルム７０を容易に剥離することができるので好ましい。こうしてフィルム７０を全て剥離すると、ブランク板は予め２枚に分離されているので、簡単に分割でき、更に、例えば側面板１４、２２をそれぞれ正面板１２、背面板２０側へ折り返し、それらを重ね合わせて束ねることにより、正面板１２の横幅程度の幅に簡単に纏めることができる。しかして、このような包装箱１０を廃棄する際の労力、即ち時間や手間等が軽減され、廃棄スペースも低減される。
【００２６】
また、この包装箱１０は、ブランク板にフィルム７０を貼着して構成されることから、ブランク板には何も印刷する必要がなく、フィルム７０にだけ各種印刷を施せばよい。したがって、全体的にコストの低減が図れる。しかも、図５で示すように、例えばユーザー登録用の葉書６４をフィルム７０に印刷し、その周囲のフィルム７０に予めミシン目等の切断線６６（切離手段）を設け、包装箱１０を廃棄する際（フィルム７０を剥がした際）に、その部分がブランク板、例えば背面板２０の一部と共に切り取られるように構成すると、廃棄する包装箱１０の一部を有効利用することになるので、ゴミの減量化になる。
【００２７】
なお、このときのブランク板は段ボール以外の厚紙類が好ましく、ユーザー登録用の葉書６４が印刷された部分が貼着される背面板２０の一部は、予めその葉書大の大きさに分離されていてもよいし、フィルム７０と同様に周囲にミシン目等の切断線（切離手段）が設けられて、切断線６６と共に切断できるように構成されていてもよい。また、ユーザー登録用の葉書６４以外にも、保証書、簡易マニュアル等を印刷してもよいことは言うまでもなく、様々なニーズによって、適宜印刷内容を選定すればよい。
【００２８】
何れにしても、本発明は、予め分離されているブランク板をフィルムによって接合しているだけなので、包装箱を廃棄する際には、そのフィルムを剥離するだけで、簡単にブランク板を元の通りに分離できる。したがって、従来、嵩張っていた段ボール等の強度の高い包装箱の廃棄作業が至便にできるようになり（コンパクトに纏めることができるようになり）、廃棄する際の労力を軽減することができる。なお、包装箱１０の形状は図示のものに限定されるものではなく、例えば内天面板１８が仕切板を兼ねる構成でなくてもよい。更に、包装箱１０は段ボールで構成されるものに限定されるものではなく、それに近いボール紙等の厚紙類でも同様である。
【００２９】
【発明の効果】
以上、本発明によれば、ブランク板は予め複数のパーツに分離され、フィルムによって１枚のブランク板に接合されているだけなので、フィルムを剥離することにより、簡単に元の複数のパーツに分離される。したがって、廃棄時における解体作業の軽減化が図れる。
【図面の簡単な説明】
【図１】本発明に係る包装箱のブランク板を示す展開図
【図２】本発明に係る包装箱のブランク板とフィルムを示す説明図
【図３】本発明に係る包装箱を示す概略斜視図
【図４】本発明に係る包装箱からフィルムを剥がす様子を示す概略斜視図
【図５】本発明に係る包装箱の一部が切り取られる様子を示す説明図
【符号の説明】
１０  包装箱
１２  正面板
１４  側面板
１６  内底面板
１８  内天面板
２０  背面板
２２  側面板
２４  外底面板
２６  外天面板
２８  底部サイドフラップ
３０  天部サイドフラップ
３２  差込フラップ
３４  係止フラップ
３８  切り込み
４０〜６０  折罫
７０  フィルム
【図１】
0004054211.tif 000002
【図２】
0004054211.tif 000003
【図３】
0004054211.tif 000004
【図４】
0004054211.tif 000005
【図５】
0004054211.tif 000006